(57)【要約】【課題】３次元の画面表示によってユーザの情報入力操作を行い易くすることができる情報入力装置とそのプログラムならびに電子フォームを提供する。【解決手段】取得した電子フォームに基づいて電子書類を作成するユーザ端末において、ユーザの入力操作に応じて情報が入力されると、ユーザに向けて表示される３次元画面に含まれた入力欄や罫線枠などの画像オブジェクトの奥行きが、情報の入力の進行に応じて制御される。たとえば、未入力の状態で前面に飛び出して表示される入力欄が、入力の完了にともなって奥に引っ込むように奥行きが制御される。これにより、情報の入力の進行がユーザに対して明確に表示されるため、入力操作を行い易くすることができる。【選択図】      図４
2004318325.tif 000002
【特許請求の範囲】
【請求項１】
それぞれ指定された情報の入力を促す複数のオブジェクト画像を含む画面の表示処理をコンピュータに実行させるプログラムであって、
前記複数のオブジェクト画像を基にした前記情報の入力の進行に応じて、前記複数のオブジェクト画像の奥行き情報を決定する第１の手順と、
前記第１の手順で決定された奥行き情報に応じた３次元の奥行きを持つ前記複数のオブジェクト画像を含む画面の表示処理を行う第２の手順と
を有するプログラム。
【請求項２】
前記情報として入力する記号の種類を設定する第３の手順を有し、
前記第１の手順において、前記第３の手順で設定した記号の種類と、前記オブジェクト画像に対応して入力すべき情報として指定された記号の種類とが一致するか否かに応じて、前記オブジェクト画像の奥行き情報を決定する、
請求項１に記載のプログラム。
【請求項３】
前記情報の入力の有無を検知する第４の手順を有し、
前記第１の手順において、それぞれのオブジェクト画像の奥行き情報を、前記第４の手順の検知結果に応じて決定する、
請求項１に記載のプログラム。
【請求項４】
入力された情報が指定された様式を満たしているか否かを判定する第５の手順を有し、
前記第１の手順において、それぞれのオブジェクト画像の奥行き情報を、前記第５の手順の判定結果に応じて決定する、
請求項１に記載のプログラム。
【請求項５】
前記第５の手順において、入力される情報に含まれる様式違反の部分を特定し、
前記第１の手順において、前記第５の手順で様式違反と判定された入力情報に対応するオブジェクト画像のうち、前記特定された違反部分に対応する画像と残りの部分に対応する画像とに、それぞれ異なる奥行き情報を設定する、
請求項４に記載のプログラム。
【請求項６】
前記第１の手順において、複数の候補の中から入力すべき情報を選択する場合における当該複数の候補にそれぞれ対応したオブジェクト画像に対して、入力される重み付け情報に応じた奥行き情報を設定する、
請求項１に記載のプログラム。
【請求項７】
前記第１の手順において、入力される情報に応じた数値を表示することが指定されたオブジェクト画像の奥行き情報を、当該数値に応じて決定する、
請求項１に記載のプログラム。
【請求項８】
２次元または３次元の何れの表示処理を行うかを決定する第６の手順と、
前記第６の手順において２次元の表示処理を行うことが決定された場合、前記第１の手順および前記第２の手順を省略し、それぞれ指定された情報の入力を促す複数の２次元のオブジェクト画像を含む画面の表示処理を行う第７の手順と、を有する
請求項１に記載のプログラム。
【請求項９】
前記オブジェクト画像ごとに指定された音声情報を、当該オブジェクト画像の奥行き情報に応じた音量で再生する処理を行う第８の手順を有する、
請求項１に記載のプログラム。
【請求項１０】
それぞれ指定された情報の入力を促す複数のオブジェクト画像を含む画面を表示する表示手段を有した情報入力装置であって、
前記複数のオブジェクト画像を基にした前記情報の入力の進行に応じて、前記複数のオブジェクト画像の奥行き情報を決定し、決定した奥行き情報に応じた３次元の奥行きを持つ前記複数のオブジェクト画像を含む画面を前記表示手段に表示させる処理手段を有する、
情報入力装置。
【請求項１１】
それぞれ指定された情報の入力を促す複数のオブジェクト画像を含んだ画面を表示手段において表示させるため表示データを有する電子フォームであって、
上記表示データが、それぞれの前記オブジェクト画像を３次元の奥行きを持つ画像として前記表示手段に表示させるための奥行き情報を含む、
電子フォーム。
【発明の詳細な説明】
【０００１】
【発明の属する技術分野】
本発明は、様式が定められた一連の情報をユーザの操作に応じて入力する情報入力装置とそのプログラム、ならびに、そのような一連の情報の入力を促す入力欄や罫線枠、テキストなどの画像を表示装置に表示させるための表示データを有した電子フォームに関するものである。
【０００２】
【従来の技術】
近年、高性能で安価なパーソナル・コンピュータの普及や、インターネット接続料金の急速な低価格化が進み、高速なデータ通信を個人でも安価に利用できる環境が整いつつある。
このようなデータ通信環境の向上にともなって、従来は紙の書類を用いて行われていた各種の手続きを電子フォームを用いて電子化する活動が、政府や企業などにおいて盛んに進められている。
【０００３】
電子フォームは、電子化された書類に含まれる各種の情報の様式を定義した電子データであり、情報の項目を示すデータや、これらの情報の入力をユーザに促すためのオブジェクト画像（入力欄、罫線枠、テキストなど）を表示装置に表示させるための表示データなどを含む。また、ユーザの入力操作を支援するために、画面の表示内容や音声案内などを一定のルールの基に制御するプログラムなども電子フォームに含まれる。
【０００４】
図１３は、従来の電子フォームによってユーザに表示される画面の一例を図解した図である。
一般に、電子フォームによってユーザに表示される罫線枠や入力欄などのオブジェクト画像は、図１３に示すように、平面のシート上に配置される２次元の画像として表現される。オブジェクト画像が多く表示画面内に収まらない場合は、たとえば、オブジェクト画像を複数のページに分けて配置し、必要に応じてページ間の移動を行ってこれらのオブジェクト画像を表示する方法や、シートの側辺に表示領域を確保し、そこにスクロールバーを表示させてシートの表示領域を変化させる方法などが用いられる。
【０００５】
また、オブジェクト画像の前後関係を表現する方法として、たとえば、レイヤと呼ばれる層構造にオブジェクト画像を貼り付けて、レイヤ間の前後関係を定めることでオブジェクト画像の位置関係を定める方法や、同一の座標に位置するオブジェクト画像に対して単に手前／後ろといった前後関係を規定する方法などが用いられる。
【０００６】
また、ユーザの入力操作を支援する画面の制御として、たとえば図１４に示すように、入力や操作の対象となるオブジェクト画像の色やコントラストを変更したり、図１５に示すように、オブジェクト画像の表示／非表示を切り換えたり、あるいは、入力しやすい位置にオブジェクト画像を移動させたりする制御が行われる。このような画面の制御によって、入力や操作の対象となるオブジェクト画像をユーザが容易に把握できるようになる。
【０００７】
電子フォームを用いた情報の入力装置に関して、たとえば特許文献１、２に示す従来技術が存在する。
【０００８】
【特許文献１】
特開２００３−７６４５７号公報
【特許文献２】
特開２００３−７６４５８号公報
【０００９】
【発明が解決しようとする課題】
このように、従来の電子フォームによってユーザに表示されるオブジェクト画像は、シート上に配置される２次元の画像であり、紙の書類において一般的に見受けられる様式を単に表示装置の画面に写したものに過ぎず、表現性に乏しいという不利益がある。
【００１０】
また、オブジェクト画像を表示できる範囲が２次元の画面内に限られるため、表示できる情報の量に制約が多い。多くの情報を表示させるために、ユーザはページ移動や画面のスクロールなどを行わなくてはならず、操作が面倒になる不利益がある。
【００１１】
また、オブジェクトの前後関係が相対的な順序でしか規定されておらず、その前後関係をユーザに明確に把握させるためには、たとえばオブジェクト画像に影を付けたり、コントラストに差を与えたりする２次元的な画像の加工によって、前後関係を表現する必要がある。したがって、前後関係の表現方法に制約が多い上、このような表現を加えるための手間が発生する不利益がある。
【００１２】
また、ユーザの入力操作を支援する画面の制御方法として、２次元の視覚変化を起こす方法でしかユーザの注意を喚起することができず、表現性に乏しい不利益がある。
たとえば、オブジェクト画像の位置の変化によってユーザの注意を喚起する方法では、２次元の面内における画像の移動であることから、変更前後の画面を比べないと位置の変化を把握し難いことが多い。
また、オブジェクト画像の色の変化によってユーザの注意を喚起する方法では、色覚障害者にとって変化の把握が困難である。
【００１３】
本発明はかかる事情に鑑みてなされたものであり、その目的は、従来に比べて豊かな表現性を持つ画面表示によってユーザの情報入力操作をより行い易くすることができる情報入力装置とそのプログラムを提供することにある。また、他の目的は、従来に比べて豊かな表現性を持つ画面表示を可能にする電子フォームを提供することにある。
【００１４】
【課題を解決するための手段】
上記の目的を達成するため、本発明の第１の観点のプログラムは、それぞれ指定された情報の入力を促す複数のオブジェクト画像を含む画面の表示処理をコンピュータに実行させるプログラムであって、複数のオブジェクト画像を基にした前記情報の入力の進行に応じて、前記複数のオブジェクト画像の奥行き情報を決定する第１の手順と、第１の手順で決定された奥行き情報に応じた３次元の奥行きを持つ前記複数のオブジェクト画像を含む画面の表示処理を行う第２の手順とを有する。
【００１５】
本発明の第１の観点によれば、コンピュータにおいて、前記複数のオブジェクト画像を基にした前記情報の入力の進行に応じて、前記複数のオブジェクト画像の奥行き情報が決定され、この決定された奥行き情報に応じた３次元の奥行きを持つ前記複数のオブジェクト画像を含む画面の表示処理が行われる。
情報の入力の進行に応じてオブジェクト画像の奥行きに変化がもたらされるため、入力操作を行い易くすることができる。
【００１６】
また、本発明の第１の観点は、前記情報として入力する記号の種類を設定する第３の手順を有し、第１の手順において、第３の手順で設定した記号の種類と、オブジェクト画像に対応して入力すべき情報として指定された記号の種類とが一致するか否かに応じて、オブジェクト画像の奥行き情報を決定しても良い。
これにより、たとえば、第３の手順で設定した記号の種類と一致する種類が指定されたオブジェクト画像をそうでないオブジェクト画像より手前に表示させて、入力操作を行い易くすることができる。
【００１７】
また、本発明の第１の観点は、前記情報の入力の有無を検知する第４の手順を有し、第１の手順において、それぞれのオブジェクト画像の奥行き情報を、第４の手順の検知結果に応じて決定しても良い。
これにより、たとえば、情報の入力の完了が検知されるまでこの情報に対応するオブジェクト画像を手前に表示させて、ユーザに情報の入力を促すことができる。
【００１８】
また、本発明の第１の観点は、入力された情報が指定された様式を満たしているか否かを判定する第５の手順を有し、第１の手順において、それぞれのオブジェクト画像の奥行き情報を、第５の手順の判定結果に応じて決定しても良い。
これにより、たとえば、様式違反と判定された情報に対応するオブジェクト画像を手前に表示させて、ユーザに正しい情報の入力を促すことができる。
また、この第５の手順において、入力される情報に含まれる様式違反の部分を特定し、第１の手順において、第５の手順で様式違反と判定された入力情報に対応するオブジェクト画像のうち、前記特定された違反部分に対応する画像と残りの部分に対応する画像とに、それぞれ異なる奥行き情報を設定しても良い。
これにより、たとえば、様式違反の部分とそうでない部分とに対応する画像に奥行きの変化を持たせて、違反部分を明確にユーザに把握させることができる。
【００１９】
また、本発明の第１の観点は、第１の手順において、複数の候補の中から入力すべき情報を選択する場合における当該複数の候補にそれぞれ対応したオブジェクト画像に対して、入力される重み付け情報に応じた奥行き情報を設定しても良い。
これにより、複数の候補に対応したオブジェクト画像に重み付け情報に応じた奥行きの変化を持たせて、ユーザが候補の選択を容易に行えるようにすることができる。
【００２０】
また、本発明の第１の観点は、第１の手順において、入力される情報に応じた数値を表示することが指定されたオブジェクト画像の奥行き情報を、当該数値に応じて決定しても良い。
これにより、数値の大きさを画像の奥行きとして視覚的に容易に把握することが可能になる。
【００２１】
また、本発明の第１の観点は、２次元または３次元の何れの表示処理を行うかを決定する第６の手順と、第６の手順において２次元の表示処理を行うことが決定された場合、第１の手順および第２の手順を省略し、それぞれ指定された情報の入力を促す複数の２次元のオブジェクト画像を含む画面の表示処理を行う第７の手順とを有する。
これにより、たとえば、表示装置の仕様やユーザの好みに応じて、２次元表示または３次元表示の何れかを選択することが可能になる。
【００２２】
また、本発明の第１の観点は、オブジェクト画像ごとに指定された音声情報を、このオブジェクト画像の奥行き情報に応じた音量で再生する処理を行う第８の手順を有しても良い。
これにより、画像の奥行きに応じて音量に変化を与えて、入力操作を行い易くすることができる。
【００２３】
本発明の第２の観点の情報入力装置は、それぞれ指定された情報の入力を促す複数のオブジェクト画像を含む画面を表示する表示手段を有した情報入力装置であって、前記複数のオブジェクト画像を基にした前記情報の入力の進行に応じて、前記複数のオブジェクト画像の奥行き情報を決定し、決定した奥行き情報に応じた３次元の奥行きを持つ前記複数のオブジェクト画像を含む画面を表示手段に表示させる処理手段を有する。
【００２４】
本発明の第２の観点によれば、処理手段において、前記複数のオブジェクト画像を基にした前記情報の入力の進行に応じて、前記複数のオブジェクト画像の奥行き情報が決定され、決定された奥行き情報に応じた３次元の奥行きを持つ前記複数のオブジェクト画像を含む画面が表示手段に表示される。
情報の入力の進行に応じてオブジェクト画像の奥行きに変化がもたらされるため、入力操作を行い易くすることができる。
【００２５】
本発明の第３の観点の電子フォームは、それぞれ指定された情報の入力を促す複数のオブジェクト画像を含んだ画面を表示手段において表示させるため表示データを有する電子フォームであって、表示データが、それぞれのオブジェクト画像を３次元の奥行きを持つ画像として表示手段に表示させるための奥行き情報を含む。
これにより、情報の入力を促すオブジェクト画像として、３次元の奥行きを持つオブジェクト画像を表示手段に表示させることが可能になり、画面表示の表現性を向上させることができる。
【００２６】
【発明の実施の形態】
以下、本発明の２つの実施形態について、図面と関連付けて説明する。
【００２７】
＜第１の実施形態＞
図１は、本発明の実施形態に係る情報入力装置としてのユーザ端末４を含んだ手続きシステムの構成例を示すブロック図である。
また、図２は、ユーザ端末４の構成例を示すブロック図である。
【００２８】
ネットワーク１は、図１に示す手続きシステムのサーバ１および２とユーザ端末４との間でデータ通信をおこなうためのネットワークである。たとえばインターネットなどの広域ネットワークや公衆通信網などがこれに相当する。
【００２９】
手続きサーバ２は、役所や企業などの手続き先に相当する処理を行うサーバであり、ユーザ端末４において電子フォームを用いて作成された電子書類（手続きに必要な所定の様式の情報を含むデータ）を受け取る処理を行う。
【００３０】
電子フォーム提供サーバ３は、ユーザ端末４において電子書類を作成するための電子フォームを管理するサーバであり、ユーザ端末４からの要求に応じて、手続きに必要な電子フォームを選び出し、ユーザ端末４に提供する処理を行う。
【００３１】
ユーザ端末４は、手続きサーバ２を管理する役所や企業などの手続き先に対して手続きを行うユーザが利用する端末装置である。ユーザ端末４は、たとえば、手続きサーバ２や電子フォーム提供サーバ３との間でデータ通信を行うために必要なプログラムや、電子フォーム提供サーバ３から提供される電子フォームを用いて電子書類を作成するためのプログラムが導入されたコンピュータであり、ユーザによる情報入力操作に必要な表示装置や入力装置を備えている。
【００３２】
図２は、ユーザ端末４の構成の一例を示すブロック図である。
図２に示すユーザ端末４は、通信インターフェース部（Ｉ／Ｆ）１０と、処理部（ＰＲＯＣ）２０と、記憶部（ＭＥＭ）３０と、入出力インターフェース部（Ｉ／Ｆ）４０と、表示部（ＤＩＳＰ）５０と、入力部（ＫＹＢ）６０とを有する。
処理部２０は、本発明の処理手段の一実施形態である。
表示部５０は、本発明の表示手段の一実施形態である。
【００３３】
通信インターフェース部１０は、ネットワーク１を介して手続きサーバ２および電子フォーム提供サーバ３との間でデータを送受信する処理を行う。
【００３４】
処理部２０は、記憶部３０に格納されたプログラムを読み出して、これに応じた所定の処理を行う。すなわち、通信インターフェース部１０を利用して電子フォーム提供サーバ３にアクセスし、ユーザの要求に応じた電子フォームを取得し、取得した電子フォームに応じて後述の情報入力処理を実行し、この処理によって入力された情報を基に電子書類を作成し、作成した電子書類を通信インターフェース部１０から手続きサーバ２へ送信する処理を行う。
【００３５】
記憶部３０は、処理部２０において実行されるプログラムを格納する。また、電子フォーム提供サーバ３から提供される電子フォームを、この記憶部３０に一時的に格納させても良い。
【００３６】
入出力インターフェース部４０は、表示部５０や入力部６０などの入出力装置と処理部２０との間においてデータを受け渡す処理や、処理部２０からの指示に応じてこれらの入出力装置を制御する処理を行う。
【００３７】
表示部５０は、処理部２０から入出力インターフェース部４０を介して入力される表示データに応じた３次元の画像を表示する。
３次元画像の表示方式としては、たとえば、１つの表示パネルにおいて左目用と右目用の画像を交互に表示させるとともに、この交互の表示タイミングに同期して、ユーザに装着させるメガネに設けられた右目用と左目用のシャッターを交互に開閉させる方式でも良い。また、右目用と左目用の画像を表示させる表示パネルを別に設ける方式でも良い。その他、３次元画像の表示方式として知られている種々の方式を表示部５０に適用することができる。
【００３８】
入力部６０は、たとえばキーボードやマウスなど、ユーザの操作によって情報を入力する装置である。入力部６０から入力された情報は、入出力インターフェース部４０を介して処理部２０に入力される。
【００３９】
ここで、上述した構成を有するユーザ端末４の処理について、図３および図４のフローチャートを参照して説明する。
図３は、ユーザ端末４における電子フォームの取得から電子書類の作成・送信までの一連の手続き処理を説明するためのフローチャートである。
【００４０】
ステップＳＴ１：
ネットワーク１を介して電子フォーム提供サーバ３にアクセスし、電子フォーム提供サーバ３が管理する複数の電子フォームの中から、手続きに必要な電子フォームを選択する処理が行われる。この処理の結果として選び出された電子フォームが、ネットワーク１を介してユーザ端末４に取得される。
【００４１】
ステップＳＴ２：
ステップＳＴ１において取得された電子フォームを基に、例えば後述する図４に示すような処理によって、ユーザからの情報を入力する処理が実行される。
【００４２】
ステップＳＴ３：
ステップＳＴ２において入力された情報によって、手続きに必要な一連の情報を含む電子書類が生成される。
【００４３】
ステップＳＴ４：
ステップＳＴ３において生成された電子書類は、通信インターフェース部１０からネットワークを介して手続きサーバ２に送信される。
送信された電子書類は、手続きサーバ２において所定の様式を満たしているか否か検査され、様式を満たしている場合、手続きサーバ２において受理される。
【００４４】
図４は、上述したステップＳＴ２の情報入力処理の詳細を説明するためのフローチャートである。
【００４５】
ステップＳＴ２１：
取得した電子フォームに含まれるオブジェクト画像（入力欄、罫線枠、テキストなど）の表示データを更新する処理が行われる。ただし、情報入力処理ＳＴ２の初期画面では、電子フォームにおいて設定される初期の表示データが用いられる。
表示データの更新処理では、オブジェクト画像の色やコントラスト、形状などとともに、オブジェクト画像の３次元の位置が更新される。すなわち、オブジェクト画像の２次元的な位置や奥行き方向の位置が更新される。
【００４６】
図５は、第１の実施形態に係る電子フォームのデータ構造の一例を図解した図である。
図５に示すように、電子フォームに含まれる各オブジェクト画像の表示データＤ１〜Ｄｎには、各オブジェクト画像の種類や形状、色などを指定する情報（オブジェクト１〜ｎ）とともに、画面上の位置を示す３次元座標の情報が含まれる。表示データの更新処理が行われると、この３次元座標の情報も更新される。
【００４７】
こうした表示データの更新内容は、後述する入力ステップＳＴ２３による情報の入力の進行に応じて、一定のルールの基に決定される。更新内容を決めるルールは、たとえば、取得した電子フォームに含まれるプログラム（入力ナビゲーションプログラムと呼ぶ）によって規定される。この入力ナビゲーションプログラムが処理部２０において実行されることにより、ユーザによる情報の入力の進行に応じて、画面表示に変化がもたらされる。
【００４８】
ステップＳＴ２２：
ステップＳＴ２１において更新された表示データに基づいて、表示部５０の画面表示が更新される。
【００４９】
ステップＳＴ２３：
表示データの更新が表示部５０の画面表示に反映された状態で、入力部６０に対するユーザの入力操作により、処理部２０に対して情報が入力される。
【００５０】
ステップＳＴ２４：
処理部２０に入力された情報が、情報入力処理の終了を示す情報であるか否か判定される。たとえば、画面上の「送信ボタン」や「決定ボタン」など、情報の入力の完了を示すボタンが押された場合に、情報入力処理の終了が判定される。
情報入力処理の終了を示す情報が入力されていない場合は、ステップＳＴ２１からの処理が再び実行される。情報入力処理の終了を示す情報が入力された場合は、既に述べたステップＳＴ３、ＳＴ４へ処理が移行される。
【００５１】
次に、上述した情報入力処理ＳＴ２の具体例について、図６〜図１０の表示例を参照して説明する。
【００５２】
図６は、表示部５０に表示される画面の一例を図解した図であり、図７は、この画面がユーザに３次元画像として視認される様子を図解した図である。
たとえば情報入力処理ＳＴ２の初期画面において、図７に示すように、オブジェクト画像Ｏ３が最も手前に表示されており、オブジェクト画像Ｏ１、オブジェクト画像Ｏ２の順に画像の配置が奥になっているものとする。
また、入力ナビゲーションプログラムにおいて、入力の完了が検知されたオブジェクト画像の配置を最も奥の位置（Ｚ座標がゼロの位置とする）に変更するルールが規定されているものとする。
【００５３】
この初期画面において、オブジェクト画像Ｏ２で示される入力欄に情報が入力されると、情報入力後のステップＳＴ２１において、オブジェクト画像Ｏ２のＺ座標がゼロに変更される。これにより、図８に示すように、入力の完了したオブジェクト画像Ｏ２が奥へ引っ込む。
さらに、オブジェクト画像Ｏ１で示される入力欄に情報が入力されると、情報入力後のステップＳＴ２１において、オブジェクト画像Ｏ１のＺ座標がゼロに変更される。これにより、図９に示すように、入力の完了したオブジェクト画像Ｏ１が奥へ引っ込む。
このように、入力の完了したオブジェクト画像が奥へ引っ込むため、ユーザは、入力が完了しているオブジェクトとそうでないオブジェクトとを明確に識別することができる。
【００５４】
また、オブジェクト画像Ｏ２、Ｏ１に続いてオブジェクト画像Ｏ３で示される入力欄に情報が入力されると、情報入力後のステップＳＴ２１において、オブジェクト画像Ｏ３のＺ座標がゼロに変更される。こうして全てのオブジェクトに対する入力が完了した場合、オブジェクト画像Ｏ４のボタン類が最も手前に飛び出すように入力ナビゲーションプログラムにおいて規定されているものとすると、図１０に示すように、Ｚ座標がゼロのオブジェクト画像Ｏ１〜Ｏ３に対して、オブジェクト画像Ｏ４のボタン類が手前に飛び出して表示される。
このように、次に入力すべき情報がユーザに対して明確に表示されるため、次に行うべき入力操作についての判断が容易になる。
【００５５】
以上説明したように、情報の入力の進行に応じてオブジェクト画像の奥行きを示す情報が決定され、オブジェクト画像の奥行きに変化がもたらされるため、画面表示の表現が豊かになり、入力操作の進行をユーザに明確に把握させることが可能になる。これにより、ユーザの入力操作が一段と容易になり、ユーザが操作に悩むケースを減らすことができる。
【００５６】
なお、図６〜図１０の例では、各オブジェクト画像に対応する情報の入力の有無を検知した結果に応じて、各オブジェクト画像の奥行きを示す情報が決定される例が示されているが、この他にも、様々なルールに基づいてオブジェクト画像の奥行きを制御することにより、入力操作を行い易くすることができる。
【００５７】
たとえば、処理部２０において起動される文章入力用プログラムに対して、入力部６０のキーボード等から入力される英数字や漢字などの記号の種類を指定するモード（半角英数字モードや、全角モード、かなモードなど）を設定する操作がユーザによって行われる場合には、この入力モードにおける記号の種類と、各オブジェクト画像に対応して入力すべき情報として電子フォームにより指定された記号の種類とが一致するか否かに応じて、オブジェクト画像の奥行き情報を決定しても良い。
たとえば、入力モードが半角英数字モードに設定されている場合、電話番号や年齢、生年月日、電子メールアドレスなど、電子フォームにおいて半角英数字が指定されている入力欄をそうでない入力欄よりも手前に表示させるように各オブジェクト画像の奥行きが制御される。このような制御により、入力モードを変更せずに入力可能な入力欄が明確に表示されるため、入力モードの変更が必要な場合における操作の煩雑さを軽減することができる。
【００５８】
また、入力された情報が電子フォームにおいて指定された様式を満たしているか否かを判定し、この判定結果に応じて、各オブジェクト画像の奥行き情報を決定しても良い。
たとえば、入力された情報が様式違反と判定された場合に、その情報に対応するオブジェクト画像が手前に表示されるようにに奥行きが制御される。このような制御により、入力が様式違反であるか否かが明確に表示されるため、入力内容を訂正する作業の煩雑さを軽減することができる。
【００５９】
また、この場合、入力される情報に含まれる様式違反の部分を特定し、この特定された違反部分に対応する画像と残りの部分に対応する画像とが、それぞれ異なる奥行きを持つように制御を行っても良い。
たとえば、電子メールアドレスの入力欄における「．」（ドット）と「，」（カンマ）の区別や、「−」（ハイフン）と「ー」（長音）の区別など、視覚的な区別がつき難い記号を間違って入力した場合でも、画像の奥行きの違いとして違反部分が明確に表示されるため、訂正箇所を容易に見つけ出すことができる。
【００６０】
また、ある入力欄に入力した内容に応じて、その入力欄の続きの入力内容や、他の入力欄の入力内容を、複数の候補として表示する場合がある。このように、電子フォームにおいて指定される複数の候補の中から入力すべき情報を選択する場合、この複数の候補にそれぞれ対応するオブジェクト画像に対して、入力される重み付け情報に応じた奥行きを持たせても良い。
重み付け情報としては、以前の入力内容を元に各候補の使用頻度を順位付けした結果に応じて生成される情報でも良いし、電子フォームの提供者がマーケティングや統計情報などを基に電子フォームにおいて予め指定する情報や、ユーザが任意に設定する情報でも良い。
【００６１】
たとえば、ある入力欄に「東京都」と入力し、これに続いて東京都の各区が入力候補として表示される場合において、各区の使用頻度が「新宿区」，「千代田区］，…，「江戸川区」の順に低くなるものとすると、最も使用頻度の高い「新宿区」を最も手前に表示させ、次に頻度の高い「千代田区」をそれよりやや奥、一番頻度の低い「江戸川区」が最も奥に表示されるように、奥行きの制御が行われる。
また、たとえば、プレゼントの応募を行うための電子フォームにおいては、応募者数や当選者数、プレゼントの金額などに応じて決定される重み付け情報が、各候補に対して指定される。選択すべきプレゼントの入力候補がユーザ端末４において表示される場合、電子フォームにおいて指定されるこの重み付け情報に応じて、各候補のオブジェクト画像に奥行きの違いが与えられる。
このような奥行きの制御によって、複数の候補における重要度の違いが奥行きの違いとして明確に表示されるため、ユーザが候補の選択を容易に行えるようにすることができる。
【００６２】
また、複数の入力欄に入力された内容から導き出される計算結果を数値として表示する欄（たとえば図６におけるオブジェクト３の合計欄）のように、入力される情報に応じた数値を表示することが電子フォームにおいて指定されたオブジェクト画像の奥行きを、この数値に応じて決定しても良い。
これにより、数値の大きさを画像の奥行きとして視覚的に容易に把握することが可能になる。
【００６３】
また、この数値が、あらかじめ電子フォームなどにおいて指定される数値もしくは情報として入力される数値に対して有する差に応じて、この数値を表示するオブジェクト画像の奥行きを情報を決定しても良い。
たとえば、商品購入用の電子フォームにおいて、予算金額があらかじめ所定の欄に入力され、次いで、複数の商品から購入する商品が選択される場合において、商品の合計金額を表示する欄の奥行きが、予算金額と合計金額との差に応じて制御される。すなわち、予算金額と合計金額との差が小さくなるにつれて両者の欄の奥行きが近くなり、差が大きくなるにつれて両者の奥行きが離れるように制御される。
このように、情報の入力の進行に応じて変化する数値が所定の数値に対して有する差を、視覚的に容易に把握することが可能になる。
【００６４】
＜第２の実施形態＞
図１１は、本発明の第２の実施形態に係る情報入力処理を説明するためのフローチャートである。
また、図１２は、第２の実施形態に係る電子フォームのデータ構造の一例を図解した図である。
【００６５】
第１の実施形態と第２の実施形態との違いは、第１の実施形態において、表示部５０として３次元表示可能な装置が前提にされているところを、第２の実施形態においては、表示部５０の仕様やユーザの好みに応じて、２次元表示または３次元表示の何れかの選択を可能にする処理が設けられている点にある。
また、このような処理を可能にするために、電子フォームのデータ構造が、図５に示すデータ構造と異なる。
なお、ユーザ端末の構成については、図２に示すものと同様な構成を用いることができる。
【００６６】
図１２に示す電子フォーム１００Ａは、図５に示す電子フォーム１００に加えて、２次元表示処理を行うために必要となるオブジェクト画像の表示データを含んだ電子フォーム１０１を有する。３次元表示処理が行われる場合は電子フォーム１００が使用され、２次元表示処理が行われる場合は電子フォーム１０１が使用される。なお、電子フォーム１００に含まれる表示データの一部または全部を、２次元表示処理において共用しても良い。
【００６７】
図１１に示す情報入力処理においては、ステップＳＴ２５において２次元または３次元の何れの表示処理を行うが決定され、この決定に応じて、既に述べた３次元表示を行う情報入力処理（ＳＴ２１〜ＳＴ２４）か、または２次元の表示を行う情報入力処理（ＳＴ２１Ａ〜ＳＴ２４Ａ）の何れかが実行される。ステップＳＴ２５における表示処理の決定は、たとえば、処理部２０において表示部５０が３次元表示可能か否かを識別させることにより自動で行っても良いし、入力部６０から入力されるユーザの要求に応じて手動で行っても良い
【００６８】
ステップＳＴ２１Ａでは、２次元の表示データを２次元用の入力ナビゲーションプログラムに応じて更新する処理が行われる。
ステップＳＴ２２Ａでは、更新された表示データに応じた２次元画像を表示部５０において表示させる処理が実行される。
ステップＳＴ２３Ａでは、ユーザの入力操作に応じて処理部２０に情報が入力される。
ステップＳＴ２４Ａでは、入力された情報に情報入力処理の終了を示す情報が含まれるか否かが判定され、この判定結果に応じて、ステップＳＴ３に処理が移行されるか、またはステップＳＴ２１Ａへ処理が戻される。
【００６９】
以上説明したように、第２の実施形態に係る情報入力処理と電子フォーマットによれば、表示部５０の仕様やユーザの好みに応じて、２次元表示または３次元表示の何れかを選択することが可能になる。
【００７０】
なお、本発明は上述した実施形態に限定されず、種々の改変が可能である。
たとえば、ユーザ端末に音声再生装置が設けられている場合、電子フォーマットにおいてオブジェクト画像ごとに指定される音声情報を、このオブジェクト画像の奥行き情報に応じた音量で再生させても良い。
これにより、画像の奥行きに応じて音量に変化を与えることができるため、奥行きの違いをより明確に表現することが可能になり、入力操作を更に行い易くすることができる。
【００７１】
本発明においては電子フォームの取得方法は限定されない。したがって、たとえば図１に示すようにネットワークを介して取得しても良いし、ユーザ端末に記録媒体の読み取り装置が設けられている場合には、記録媒体に記録された電子フォームを取得しても良い。
【発明の効果】
本発明の情報入力装置とプログラムによれば、情報の入力の進行に応じてオブジェクト画像の奥行きに変化がもたらすことにより、ユーザの情報入力操作をより行い易くすることができる。
また、本発明の電子フォームによれば、３次元の奥行きを持つ画像の表示が可能になり、ユーザに情報入力を促す画面表示の表現性を豊かにすることができる。
【図面の簡単な説明】
【図１】本発明の実施形態に係る情報入力装置としてのユーザ端末を含んだ手続きシステムの構成例を示すブロック図である。
【図２】ユーザ端末の構成例を示すブロック図である。
【図３】ユーザ端末における電子フォームの取得から電子書類の作成・送信までの一連の手続き処理を説明するためのフローチャートである。
【図４】本発明の第１の実施形態に係る情報入力処理を説明するためのフローチャートである。
【図５】第１の実施形態に係る電子フォームのデータ構造の一例を図解した図である。
【図６】表示部に表示される画面の一例を図解した図である。
【図７】図６に示す画面がユーザに３次元画像として視認される様子を図解した図である。
【図８】図７に示す画面において入力操作が行われた後の画面を図解した図である。
【図９】図８に示す画面において入力操作が行われた後の画面を図解した図である。
【図１０】図９に示す画面において入力操作が行われた後の画面を図解した図である。
【図１１】本発明の第２の実施形態に係る情報入力処理を説明するためのフローチャートである。
【図１２】第２の実施形態に係る電子フォームのデータ構造の一例を図解した図である。
【図１３】従来の電子フォームによってユーザに表示される画面の一例を図解した図である。
【図１４】図１３に示す画面において、入力や操作の対象となるオブジェクト画像の色やコントラストが変更される例を図解した図である。
【図１５】図１３に示す画面において、オブジェクト画像の表示／非表示が切り換えられる例を図解した図である。
【符号の説明】
１…ネットワーク、２…手続きサーバ、３…電子フォーム提供サーバ、４…ユーザ端末、１０…通信インターフェース、２０…処理部、３０…記憶部、４０…入出力インターフェース、５０…表示部、６０…入力部
【図１】
2004318325.tif 000003
【図２】
2004318325.tif 000004
【図３】
2004318325.tif 000005
【図４】
2004318325.tif 000006
【図５】
2004318325.tif 000007
【図６】
2004318325.tif 000008
【図７】
2004318325.tif 000009
【図８】
2004318325.tif 000010
【図９】
2004318325.tif 000011
【図１０】
2004318325.tif 000012
【図１１】
2004318325.tif 000013
【図１２】
2004318325.tif 000014
【図１３】
2004318325.tif 000015
【図１４】
2004318325.tif 000016
【図１５】
2004318325.tif 000017